(57)【要約】【課題】持ち運びしやすく、水を注ぎ出しやすく、強靭で破れにくく、繰り返しの使用も可能な災害時緊急給水用袋を提供することである。【解決手段】水を収納することのできる袋であって、プラスチックフィルムからなり、口栓を有しており、かつ少なくとも一箇所に把持孔兼紐通し孔を有していることを特徴とする災害時緊急給水用袋であり、また前記口栓が袋の縦方向下から三分の一以内の位置にあることを特徴とする災害時緊急給水用袋であり、口栓が袋の横方向中央に位置することを特徴とする災害時緊急給水用袋である。【選択図】図１
2016098031.tif 000002
【特許請求の範囲】
【請求項１】
水を収納することのできる袋であって、
プラスチックフィルムからなり、口栓を有しており、かつ少なくとも一箇所に把持孔兼紐通し孔を有していることを特徴とする災害時緊急給水用袋。
【請求項２】
前記口栓が袋の縦方向下から三分の一以内の位置にあることを特徴とする請求項１に記載の災害時緊急給水用袋。
【請求項３】
前記口栓が袋の横方向中央に位置することを特徴とする請求項１または請求項２に記載の災害時緊急給水用袋。
【請求項４】
外側袋と内側袋の２重のプラスチックフィルムからなることを特徴とする請求項１〜請求項３のいずれかに記載の災害時緊急給水用袋。
【請求項５】
前記把持孔兼紐通し孔が四隅に設けてあることを特徴とする請求項１〜請求項４のいずれかに記載の災害時緊急給水用袋。
【請求項６】
前記外側袋がプラスチックフィルムを基材とした２層以上の積層体からなることを特徴とする、請求項１〜請求項５のいずれかに記載の災害時緊急給水用袋。
【請求項７】
前記外側袋と前記内側袋の間に外気と通じる機構を有することを特徴とする、請求項１〜請求項６のいずれかに記載の災害時緊急給水用袋。
【発明の詳細な説明】
【技術分野】
【０００１】
本発明は災害時緊急給水用袋に関するものである。
【背景技術】
【０００２】
近年特に２０１１年の東日本大震災以降、災害に対する社会の意識の高まりが顕著になってきている。一方集中豪雨や台風などにおいても想定外の大きな災害も各地で発生しているために、災害にどのように対処するか、災害にどう備えるかが、国の政治の優先課題にもなり、個人の日常生活においても関心が高まっている。
【０００３】
災害時においては、身の安全に続いて避難先での水や食料の確保が緊急の課題である。これまでも災害時に使用する給水袋は用いられることもあったが、口栓がついていないために、大量の水を急いで注ぎ出すには袋をはさみなどで切り裂いて出口を確保するなどする必要があり使い勝手が良いとはいえなかった。あるいは簡単な構造の一重のプラスチック袋の場合には破れやすく、落としたりした場合には破損して中の水が失われる危険もあった。
【０００４】
またプラスチックボトルなども水の容器として販売されているが、大量の水を入れるボトルは大型のものになり、折りたたむこともままならず、したがって保管のスペースも大がかりなものが必要となって都合が悪いことになっている。
【先行技術文献】
【特許文献】
【０００５】
【特許文献１】実用新案第３０２１５１６号公報
【発明の概要】
【発明が解決しようとする課題】
【０００６】
かかる状況に鑑みて、本発明は持ち運びしやすく、水を注ぎ出しやすく、強靭で破れにくく、繰り返しの使用も可能な災害時緊急給水用袋を提供することを課題とする。
【課題を解決するための手段】
【０００７】
上記の課題を解決するための手段として、請求項１に記載の発明は、水を収納することのできる袋であって、プラスチックフィルムからなり、口栓を有しており、かつ少なくとも一箇所に把持孔兼紐通し孔を有していることを特徴とする災害時緊急給水用袋である。
【０００８】
また、請求項２に記載の発明は、前記口栓が袋の縦方向下から三分の一以内の位置にあることを特徴とする請求項１に記載の災害時緊急給水用袋である。
【０００９】
また、請求項３に記載の発明は、前記口栓が袋の横方向中央に位置することを特徴とする請求項１または請求項２に記載の災害時緊急給水用袋である。
【００１０】
また、請求項４に記載の発明は、外側袋と内側袋の２重のプラスチックフィルムからなることを特徴とする請求項１〜請求項３のいずれかに記載の災害時緊急給水用袋である。
【００１１】
また、請求項５に記載の発明は、前記把持孔兼紐通し孔が四隅に設けてあることを特徴とする請求項１〜請求項４のいずれかに記載の災害時緊急給水用袋である。
【００１２】
また、請求項６に記載の発明は、前記外側袋がプラスチックフィルムを基材とした２層
以上の積層体からなることを特徴とする、請求項１〜請求項５のいずれかに記載の災害時緊急給水用袋である。
【００１３】
また、請求項７に記載の発明は、前記外側袋と前記内側袋の間に外気と通じる機構を有することを特徴とする、請求項１〜請求項６のいずれかに記載の災害時緊急給水用袋である。
【発明の効果】
【００１４】
本発明によれば持ち運びしやすく、水を注ぎ出しやすく、強靭で破れにくく、繰り返しの使用も可能な災害時緊急給水用袋を提供することが可能となる。
【００１５】
請求項２に記載の発明によれば、水の注ぎ出しをより円滑に行なうことができる災害時緊急給水用袋を提供することが可能となる。
【００１６】
請求項３に記載の発明によれば、水の注ぎ出しをより円滑に行なうことができる災害時緊急給水用袋を提供することが可能となる。
【００１７】
請求項４に記載の発明によれば、より強靭で破れにくく、繰り返しの使用も可能な災害時緊急給水用袋を提供することが可能となる。
【００１８】
請求項５に記載の発明によれば、より持ち運びしやすい災害時緊急給水用袋を提供することが可能となる。
【００１９】
請求項６に記載の発明によれば、より強靭で破れにくく、繰り返しの使用も可能な災害時緊急給水用袋を提供することが可能となる。
【００２０】
請求項７に記載の発明によれば、水の注ぎ出しをより円滑に行なうことができる災害時緊急給水用袋を提供することが可能となる。
【図面の簡単な説明】
【００２１】
【図１】図１は本発明に係る災害時緊急給水用袋の一実施形態の部分断面模式図である。
【図２】図２は本発明に係る災害時緊急給水用袋の一実施形態のヒートシール部の部分断面模式図である。
【図３】図３は本発明に係る災害時緊急給水用袋の一実施形態の鳥瞰図である。
【図４】図４は本発明に係る災害時緊急給水用袋の一実施形態の平面図である。
【図５】図５は本発明に係る災害時緊急給水用袋の一実施形態の折りたたんだ状態を示す図である。
【図６】図６は本発明に係る災害時緊急給水用袋の一実施形態の背中に背負った使用例である。
【図７】図７は本発明に係る災害時緊急給水用袋の一実施形態の肩にかけるための使用例である。
【図８】図８は本発明に係る災害時緊急給水用袋の一実施形態の手による持ち運び状態を示す使用例である。
【図９】図９は本発明に係る災害時緊急給水用袋の一実施形態の手による持ち運び状態を示す他の使用例である。
【発明を実施するための形態】
【００２２】
以下本発明を実施するための方法について、図１〜図９を参照しながら詳細に説明を加える。
【００２３】
図１は本発明に係る災害時緊急給水用袋の一実施形態の部分断面模式図である。災害時緊急給水用袋（１０）は、外側袋（２）と内側袋（３）の２重構造となっており、ヒートシール部（４）で熱溶着されており、外側袋（２）と内側袋（３）および内側袋（３）と口栓とがそれぞれヒートシールされて災害時緊急給水用袋（１０）を形成している。
【００２４】
袋の周縁部および口栓部をヒートシールし口栓を閉じることによって、袋の内側（Ａ）は密閉された空間となり、水を入れておくことが可能になる。口栓は図１で示した例では、スクリュー式口栓（１）を備えた例である。災害時緊急給水用袋（１０）が外側袋（２）と内側袋（３）の２重構造となっていることによって、強靭性を付与することが出来る。また口栓の開閉によって容易に中の水を注ぎ出すことができる。
【００２５】
図２は図１で示した例のヒートシール部（４）の拡大図である。外側袋（２）は基材フィルム（５）の表裏に熱可塑性樹脂層（６）を有しており、内側袋（３）も熱可塑性樹脂であるためにヒートシールが可能となる。また口栓もヒートシールによって内側袋（３）に接する面に熱溶着される。
【００２６】
基材フィルム（５）にはたとえばナイロンフィルム、ポリエチレンテレフタレートフィルムを使用することができ、これらのフィルムは機械強度が強いために災害時緊急給水用袋をより強靭なものとすることができ、たとえば耐突き刺し性や耐衝撃性を与えることができる。
【００２７】
熱可塑性樹脂にはたとえばポリエチレン、ポリプロピレン、などのヒートシール性を有する樹脂を使用することができる。熱可塑性樹脂層を形成するためにたとえば押し出し機によって基材フィルム（５）上に熱可塑性樹脂層（６）を形成しても良く、熱可塑性樹脂層（６）として熱可塑性樹脂のフィルムを用いて基材フィルム（５）と貼り合わせるのでも良い。
【００２８】
図１で示した例では、内側袋（３）と外側袋（２）の２重構造になっているために、災害時緊急給水用袋は強度および耐久性に優れている。さらに外側袋の表面にマット処理をすることによって、表面のスベリ性が向上し、耐ピンホール性も向上させることができる。
【００２９】
また内側袋（３）と外側袋（２）の間に外気と通じる機構を設けることによって、水の注ぎ出しとともに、内側袋（３）が大気圧でしぼむために、液が脈動して注ぎ出される所謂エアーバック現象を防止することができる。外気と通じる機構は、外側袋に貫通孔を設けておくのでもよく、外側袋に空気の通る弁を設けておくのでも良い。この機構によって中の水を注ぎ出す時には、より円滑な水の流れを作ることができる。
【００３０】
外側袋には、必要に応じてバリア層を設けることができる。バリア層を設けることにより、袋の中に水や液体を入れたまま保存する場合にも変質、劣化を防ぐことが可能になる。バリア層として金属箔層を用いても良いが形態の保持や復元性には欠ける。したがって金属箔を用いる代わりにガスバリアフィルムを用いることがより好ましい。
【００３１】
ガスバリアフィルムは、基材フィルムとガスバリア層からなる。ガスバリア層は蒸着法によって無機化合物層を基材フィルム上に設けても良く、さらにコーティング法による無機化合物層を重ねて設けても良い。
【００３２】
図３は本発明に係る災害時緊急給水用袋の一実施形態の鳥瞰図である。災害時緊急給水用袋（１０）は少なくとも１以上の把持孔兼紐通し孔（９）を有することで取り扱い上、手で持つことが容易となり、また紐を通すことで持ち手や肩紐として使用することができ
る。したがって把持孔兼紐通し孔（９）の大きさは手指が入る程度の大きさが望ましい。図３に示した例では把持孔兼紐通し孔（９）は四隅に配置されている例である。
【００３３】
本発明による災害時緊急給水用袋（１０）には水を注入あるいは注ぎ出すための口栓が設けてあるが、図３で示した例ではコック式口栓（８）が設けてある。口栓はそのほか図１で示したスクリュータイプ口栓も使用することができ、そのほかスナップオンタイプ、ヒンジタイプ、ディスペンサータイプなどの口栓も用いることができるが、災害時緊急給水用袋として取り扱いが簡便なコック式口栓はより好ましく用いることができる。さらにコック部分を螺子で着脱できるようにすることもできる。
【００３４】
図４は本発明に係る災害時緊急給水用袋の一実施形態の平面図である。ここでは口栓の取り付け位置の例を示した図である。口栓取り付け位置（７）は災害時緊急給水用袋（１０）の縦方向下から三分の一以内の位置に設けると良い。これによって、中の水を注ぎ出す際には水圧がかかって円滑に注ぎ出しができ、また注ぎ出しの角度も好ましい角度となる。さらに注ぎ出しの終わりにおいても内部に残留する水をほとんどなくすことが可能である。
【００３５】
口栓取り付け位置（７）の横方向の位置は中央に設けると良い。これによって口栓の開閉の際も作業が容易であり、中の水の注ぎ出しの終わりにおいても内部に残留する水をほとんどなくすことが可能である。
【００３６】
図５は本発明に係る災害時緊急給水用袋の一実施形態の折りたたんだ状態を示す図である。災害時緊急給水用袋（１０）自体は中に水が入っていないときには、平たい形状であり、プラスチックフィルム、あるいはその積層体であるからフレキシブルである。
【００３７】
したがって袋として保管する場合には折りたたむことが可能であり、省スペースに好都合である。使用時には容易に折りたたみ状態を解除して広げることによって災害時緊急給水用袋として使用することが出来る。またコック部分を螺子で着脱できるようにした場合には収納において省スペースにさらに好都合である。
【００３８】
図６は本発明に係る災害時緊急給水用袋の一実施形態の背中に背負った使用例である。災害時緊急給水用袋（１０）の四隅の把持孔兼紐通し孔（９）に通した紐（１２）を肩紐として背中に背負うことが可能である。使用する紐は限定するものではなく、強度や耐久性を考慮すれば適宜選択することができ、たとえば木綿、麻、合成樹脂などの素材の紐を使用することができる。
【００３９】
口栓はこの例ではコックタイプ口栓を備えた例であり、中の水（１３）を口栓の開閉で注ぎ出すことができる。口栓の取り付け位置は袋の縦方向下から三分の一以内にあり、袋の横方向中央に位置している。
【００４０】
図７は本発明に係る災害時緊急給水用袋の一実施形態の肩にかけるための使用例である。災害時緊急給水用袋（１０）の四隅の把持孔兼紐通し孔に通した紐（１２）を肩掛けかばんのようにして肩にかけることが出来る使用例である。肩掛けではなく紐を手で持つのでもかまわない。この例では口栓はコック式口栓（８）を備えており、口栓の開閉により中の水（１３）を注ぎ出すことができる。
【００４１】
図８は本発明に係る災害時緊急給水用袋の一実施形態の手による持ち運び状態を示す使用例である。災害時緊急給水用袋（１０）は少なくとも１以上の把持孔兼紐通し孔が設けてあり、この部分を手で掴んで持ち運ぶことが出来る。図８に示した例では把持孔兼紐通し孔は四隅に設けてあり、このうちの２箇所を掴んでいる例である。
【００４２】
図９は本発明に係る災害時緊急給水用袋の一実施形態の手による持ち運び状態を示す他の使用例である。災害時緊急給水用袋（１０）は比較的平坦な形状であるために、２箇所の把持孔兼紐通し孔を同時に掴むことで折りたたんだ形状で持ち運ぶこともでき、より容易に持ち運ぶことが出来る。
【実施例】
【００４３】
以下実施例に基づき本発明による災害時緊急給水用袋について、さらに具体的に説明を加える。
【００４４】
＜実施例１＞
災害時緊急給水用袋を以下の層構成、口栓の取り付け、把持孔兼紐通し孔の配置で作成した。
層構成：
・外側袋（ポリエチレン厚さ３５μｍ／ナイロンフィルム厚さ１５μｍ／ポリエチレン１５μｍ）
・内側袋（ポリエチレン厚さ７５μｍ）
口栓の位置：縦方向下から１／４、横方向１／２
把持孔兼紐通し孔：なし。
【００４５】
＜実施例２＞
災害時緊急給水用袋を以下の層構成、口栓の取り付け、把持孔兼紐通し孔の配置で作成した。
層構成：
・外側袋（ポリエチレン厚さ３５μｍ／ナイロンフィルム厚さ１５μｍ／ポリエチレン３５μｍ）
・内側袋（ポリエチレン厚さ７５μｍ）
口栓の位置：縦方向下から１／４、横方向１／２
把持孔兼紐通し孔：四隅に設けた。
【００４６】
＜実施例３＞
災害時緊急給水用袋を以下の層構成、口栓の取り付け、把持孔兼紐通し孔の配置で作成した。
層構成：
・外側袋（ポリエチレン厚さ３５μｍ／ナイロンフィルム厚さ１５μｍ／ポリエチレン３５μｍ）
・内側袋（ポリエチレン厚さ７５μｍ）
口栓の位置：縦方向下から１／３、横方向１／２
把持孔兼紐通し孔：四隅に設けた。
【００４７】
＜実施例４＞
災害時緊急給水用袋を以下の層構成、口栓の取り付け、把持孔兼紐通し孔の配置で作成した。
層構成：
・外側袋（ポリエチレン厚さ３５μｍ／ナイロンフィルム厚さ１５μｍ／ポリエチレン３５μｍ）
・内側袋（ポリエチレン厚さ７５μｍ）
口栓の位置：縦方向下から１／５、横方向１／２
把持孔兼紐通し孔：四隅に設けた。
【００４８】
＜比較例１＞
災害時緊急給水用袋を以下の層構成、口栓の取り付け、把持孔兼紐通し孔の配置で作成した。
層構成：ポリエチレン厚さ１００μｍ
口栓：なし。天シール部に導入部を設ける。
把持孔兼紐通し孔：なし。
【００４９】
＜比較例２＞
災害時緊急給水用袋を以下の層構成、口栓の取り付け、把持孔兼紐通し孔の配置で作成した。
層構成：
・外側袋（ポリエチレン厚さ３５μｍ／ナイロンフィルム厚さ１５μｍ／ポリエチレン３５μｍ）
・内側袋（ポリエチレン厚さ７５μｍ）
口栓の位置：縦方向下から１／２、横方向１／２
把持孔兼紐通し孔：あり。
【００５０】
＜評価項目および評価方法＞
作成した災害時緊急給水用袋サンプルを、落下耐性、持ちやすさ、注ぎやすさ、の３項目で比較、評価した。
（１）落下耐性：
水を充填した状態で２ｍの高さから落下させ、破袋しなかったものをカウントした。    （ｎ＝１０）
（２）持ちやすさ（官能評価）：
水を充填した状態で実際に持ってみて、持ちやすいものを○、やや持ちにくいが持つことができるものを△、持てないものを×とした。
（３）注ぎやすさ（官能評価）：
水を充填した状態で水を注いでみて、注ぎやすいものを○、注ぎにくいものを×とした。評価結果を表１に示す。
【００５１】
【表１】
2016098031.tif 000003
【００５２】
表１に示すごとく、実施例１〜実施例４においては、落下耐性、持ちやすさ、注ぎやすさ、の３項目においてすべて良好あるいは問題ない結果が得られたのに対し、比較例１および比較例２においては災害時緊急給水用袋として不十分な結果である。
【００５３】
比較例１においては、袋の層構成がポリエチレンフィルムの単層であるために強靭さが得られず、破袋しなかったものが２／１０となっており、落下耐性に難が出ていると考えられる。また袋の層構成がポリエチレンフィルムの単層であるために、袋として腰が出ず持ちやすさの評価においても「×：持てない」という評価になったと考えられる。注ぎやすさの評価においては、口栓を設けていないことが直接「×：注ぎにくい」という評価につながったものである。
【００５４】
比較例２においては注ぎやすさの評価において「×：注ぎにくい」という評価になったが、口栓の取り付け位置が下から１／２の位置で袋のほぼ中央に位置していることが原因と考えられる。
【００５５】
実施例１〜実施例４においてはいずれの項目においても、良好か使用上問題のない評価となっている。この結果から、本発明によれば、持ち運びしやすく、水を注ぎ出しやすく、強靭で破れにくく、繰り返しの使用も可能な災害時緊急給水用袋を提供することが可能であることを検証することができた。
【符号の説明】
【００５６】
１・・・スクリュータイプ口栓
２・・・外側袋
３・・・内側袋
４・・・ヒートシール部
５・・・基材フィルム
６・・・熱可塑性樹脂層
７・・・口栓取り付け位置
８・・・コック式口栓
９・・・把持孔兼紐通し孔
１０・・・災害時緊急給水用袋
１２・・・紐
１３・・・水
Ａ・・・袋の内側
【図１】
2016098031.tif 000004
【図２】
2016098031.tif 000005
【図３】
2016098031.tif 000006
【図４】
2016098031.tif 000007
【図５】
2016098031.tif 000008
【図６】
2016098031.tif 000009
【図７】
2016098031.tif 000010
【図８】
2016098031.tif 000011
【図９】
2016098031.tif 000012